(57)【要約】【課題】外部装置の使用者がルータ設置後に新たに起動する仮想マシン及び仮想モデムを選択することができる情報処理装置及びプログラムを提供する。【解決手段】ルータ４がＰＰＰｏＥ網３と顧客ＰＣ６との間に接続されたときに、ＩＴセル１１内の仮想マシン１７上で起動するＷｅｂサーバ１９が、ＩＴセル選択用メニュー画面のデータを顧客ＰＣ６に送信する。そして、Ｗｅｂサーバ１９が、顧客ＰＣ６で選択されたＩＴセル選択用メニュー画面上のＶＭ機器情報を、ＶＭ機器情報に基づいて新たな仮想マシン及び仮想モデムを作成し起動するＩＴセル管理部１５に送信する。【選択図】図９
2011248690.tif 000002
【特許請求の範囲】
【請求項１】
ルータが仮想私設通信網と外部装置との間に接続されたときに、前記仮想私設通信網に接続されるデータセンタ内の複数の情報処理装置に関する情報から、新たに起動される仮想マシン及び仮想モデムを含む情報処理装置に関する情報を選択するためのデータを前記外部装置に送信する第１送信手段と、
前記外部装置で選択された情報処理装置に関する情報を取得する取得手段と、
情報処理装置に関する情報に基づいて新たな仮想マシン及び新たな仮想モデムを作成し起動する管理手段に、前記取得手段で取得された情報処理装置に関する情報を送信する第２送信手段とを備えることを特徴とする情報処理装置。
【請求項２】
前記ルータが仮想私設通信網と外部装置との間に接続されたときに、前記データセンタ内の複数の情報処理装置のうち前記外部装置に送信されるデータを備える情報処理装置が、最初に前記外部装置と通信することを特徴とする請求項１に記載の情報処理装置。
【請求項３】
コンピュータを、
ルータが仮想私設通信網と外部装置との間に接続されたときに、前記仮想私設通信網に接続されるデータセンタ内の複数の情報処理装置に関する情報から、新たに起動される仮想マシン及び仮想モデムを含む情報処理装置に関する情報を選択するためのデータを前記外部装置に送信する第１送信手段、
前記外部装置で選択された情報処理装置に関する情報を取得する取得手段、及び
情報処理装置に関する情報に基づいて新たな仮想マシン及び新たな仮想モデムを作成し起動する管理手段に、前記取得手段で取得された情報処理装置に関する情報を送信する第２送信手段
として機能させることを特徴とするプログラム。
【請求項４】
前記ルータが仮想私設通信網と外部装置との間に接続されたときに、前記データセンタ内の複数の情報処理装置のうち前記外部装置に送信されるデータを備える情報処理装置が、最初に前記外部装置と通信することを特徴とする請求項３に記載のプログラム。
【発明の詳細な説明】
【技術分野】
【０００１】
本発明は、情報処理装置及びプログラムに関する。
【背景技術】
【０００２】
従来より、インターネットサービスプロバイダ（ISP）に接続するルータの設定情報をネットワークから取得することにより、ルータ購入者によるルータ内のインターネット接続の設定を容易にする第１の技術が知られている（例えば、特許文献１参照）。この技術では、ルータがモデムに接続されたとき、ルータはブロードバンドアクセスサーバにアクセスし、RADIUSサーバに認証された後、機器認証サーバにおいて、機器認証される。その後、ルータはISPダウンロードサーバより、ISPサーバに接続する際に必要となる設定情報を取得する。ルータは、取得した設定情報を自らに設定し、その設定情報を基に、ISPサーバに接続し、ISPサーバ経由で、インターネット上のWEBページのHTMLなどを取得する。
【０００３】
また、従来より、クラウドデータセンタ上の仮想マシンを利用したシステムを、顧客のイントラネットから利用する第２の技術が知られている。このシステムでは、クラウドデータセンタ内の物理サーバが、顧客の業務を実行する仮想マシンを起動し、顧客のイントラネットに接続される端末（例えば、コンピュータ）に顧客の業務に必要なサービスを提供している。
【先行技術文献】
【特許文献】
【０００４】
【特許文献１】特開２００４−１９９６５２号公報
【発明の概要】
【発明が解決しようとする課題】
【０００５】
上記第２の技術では、クラウドデータセンタのエンジニアが、顧客の要望に応じて、仮想マシンを含むシステムの論理設計や構築作業をする必要がある。また、顧客もクラウドデータセンタの仮想マシンへ接続するための設定作業を行う必要がある。このため、クラウドデータセンタのエンジニア及び顧客に作業負担がかかるという課題がある。
【０００６】
そこで、上記第１の技術のように、ルータを顧客のイントラネットに設置し、顧客の端末が、自動的に顧客のイントラネット及びルータを介してクラウドデータセンタ内の仮想マシンにアクセスすることが考えられる。しかし、顧客の端末がアクセスする、クラウドデータセンタ内の仮想マシンが固定されてしまうという課題がある。
【０００７】
そこで、１つの側面では、発明は、外部装置の使用者がルータ設置後に新たに起動する仮想マシン及び仮想モデムを選択することができることを目的とする。
【課題を解決するための手段】
【０００８】
第１の案では、情報処理装置は、ルータが仮想私設通信網と外部装置との間に接続されたときに、前記仮想私設通信網に接続されるデータセンタ内の複数の情報処理装置に関する情報から、新たに起動される仮想マシン及び仮想モデムを含む情報処理装置に関する情報を選択するためのデータを前記外部装置に送信する第１送信手段と、前記外部装置で選択された情報処理装置に関する情報を取得する取得手段と、情報処理装置に関する情報に基づいて新たな仮想マシン及び新たな仮想モデムを作成し起動する管理手段に、前記取得手段で取得された情報処理装置に関する情報を送信する第２送信手段とを備える。
【０００９】
第２の案では、プログラムは、コンピュータを、ルータが仮想私設通信網と外部装置との間に接続されたときに、前記仮想私設通信網に接続されるデータセンタ内の複数の情報処理装置に関する情報から、新たに起動される仮想マシン及び仮想モデムを含む情報処理装置に関する情報を選択するためのデータを前記外部装置に送信する第１送信手段、前記外部装置で選択された情報処理装置に関する情報を取得する取得手段、及び情報処理装置に関する情報に基づいて新たな仮想マシン及び新たな仮想モデムを作成し起動する管理手段に、前記取得手段で取得された情報処理装置に関する情報を送信する第２送信手段として機能させる。
【発明の効果】
【００１０】
外部装置の使用者がルータ設置後に新たに起動する仮想マシン及び仮想モデムを選択することができることとなる。
【図面の簡単な説明】
【００１１】
【図１】本実施の形態にかかるルータを含む情報管理システムの構成図である。
【図２】データベースの構成図である。
【図３】顧客ＰＣに表示されるＩＴセル選択用メニュー画面の一例を示す図である。
【図４】（Ａ）は、ＩＴセルのハードウエア構成を示すブロック図である。（Ｂ）は、管理サーバのルータ管理部の機能構成を示すブロック図である。
【図５】（Ａ）は、ルータのハードウエア構成を示すブロック図である。（Ｂ）は、ルータの機能構成を示すブロック図である。
【図６】ルータが実行する処理を示すフローチャートである。
【図７】ルータ管理部が実行する処理を示すフローチャートである。
【図８】ＩＴセル管理部が実行する処理を示すフローチャートである。
【図９】Ｗｅｂサーバを起動する仮想マシンを有するＩＴセルが実行する処理を示すフローチャートである。
【図１０】情報管理システムが実行する処理のシーケンスを示す図である。
【図１１】情報管理システムが実行する処理のシーケンスを示す図である。
【発明を実施するための形態】
【００１２】
以下、図面を参照しながら本発明の実施の形態を説明する。
【００１３】
図１は、本実施の形態にかかるルータを含む情報管理システムの構成図である。
【００１４】
情報管理システム１は、ＶＭ（Virtual Machine）サービスデータセンタ２、通信事業者が提供するＰＰＰｏＥ（Point to Point Protocol over Ethernet）網３（Ethernet：登録商標）、ルータ４、顧客用イントラネット５、及び顧客ＰＣ（Personal Computer）６を備えている。ＰＰＰｏＥは、ＰＰＰ（Point to Point Protocol）の機能をイーサネット（登録商標）を通して利用するプロトコルであり、後述する仮想私設通信網用のプロトコルである。ＰＰＰｏＥ網３はワイドエリアネットワーク（WAN）である。ルータ４は、ＶＭサービスデータセンタ２に接続するためのクラウドコンピューティング用のルータである。また、ルータ４は顧客ＰＣ６に直接接続されていてもよい。外部装置の一例として顧客ＰＣ６が挙げられる。
【００１５】
ＶＭサービスデータセンタ２は、顧客ＰＣ６に対して、ＰＰＰｏＥ網３経由でソフトウェアパッケージやアプリケーション実行用のプラットフォームなどのサービスを提供するクラウドコンピューティング用のサービスセンタである。また、ＶＭサービスデータセンタ２は、物理サーバで構成される複数のＩＴ（Information Technology）セル１１と、ゲートウエイサーバで構成される複数のＧＷ（Gateway）セル１２と、管理サーバ１４とを備えている。管理サーバ１４は、ＬＡＮ（Local Area Network）１３を介して複数のＩＴセル１１及び複数のＧＷセル１２に接続されている。ＩＴセル１１は、情報処理装置の一例である。管理サーバ１４は、情報管理装置の一例である。
【００１６】
ＩＴセル１１は、顧客ＰＣ６に提供するサービスを起動する仮想マシン１７と、仮想マシン１７からのデータの出力及び仮想マシン１７へのデータの入力を制御する仮想ルータ１８と備えている。仮想マシン１７は、仮想ルータ１８に１対１の関係で接続されている。また、ＩＴセル１１は、複数の仮想マシン１７及び複数の仮想ルータ１８を備えていてもよい。仮想マシン１７は、仮想ＯＳや、顧客へ提供するアプリケーションなどを起動している。仮想マシン１７及び仮想ルータ１８はソフトウエアで実現される。また、仮想ルータ１８は、特定の顧客ＰＣからのアクセスのみを受け付けるファイアーウォールルータである。
【００１７】
ＧＷセル１２は、ゲートウエイプログラムを有し、ゲートウエイプログラムを実行することにより、仮想ルータ１８とＰＰＰｏＥ網３との間でデータの橋渡しを行う。
【００１８】
管理サーバ１４は、ＩＴセル管理部１５（管理手段）と、ルータ管理部１６とを備えている。ＩＴセル管理部１５は、データベース（ＤＢ）１５Ａを備えている。
【００１９】
図２は、データベース１５Ａの構成図である。データベース１５Ａには、ルータ４から受信するＶＭ機器情報に関連付けられた、仮想マシン、仮想ルータ、ＩＴセル及びＧＷセルのＩＤ番号が登録されている。ＶＭ機器情報は、仮想マシン１７及び仮想モデム１８を起動するＩＴセル１１を特定する情報であり、具体的には、ＩＴセル１１が有するＯＳ（Operating System）及びＩＴセル１１が有するハードウエア資源の情報である。また、ＶＭ機器情報は、情報処理装置に関する情報の一例である。図２の例では、ＯＳは「windows server 2008」、「windows server 2000」及び「windows server 2007」である。ハードウエア資源は、「HDD 2TB, 2GB mem」、「HDD 1TB, 4GB mem」及び「HDD 2TB, 8GB mem」である。図２において、データベース１５Ａのセル１５Ｂは「作成」となっている。これは、ＩＴセル１１が新たな仮想マシン１７及び新たな仮想モデム１８を作成することを示す。
【００２０】
ＩＴセル管理部１５は、ルータ４からＶＭ機器情報を受信すると、ＶＭ機器情報に基づいて、データベース１５Ａに登録されている仮想マシン１７、仮想モデム１８、ＩＴセル１１、及びＧＷセル１２を選択する。ＩＴセル管理部１５は、選択したＩＴセル１１及びＧＷセル１２を起動する。このとき、データベース１５Ａのセル１５Ｂが「作成」になっている場合には、新たな仮想マシン１７及び新たな仮想モデム１８のＩＤ番号をデータベース１５Ａに登録し、新たな仮想マシン１７及び新たな仮想モデム１８を作成して起動する。
【００２１】
ＩＴセル管理部１５は、各ＩＴセル１１の動作を管理する。また、ルータ管理部１６は、通信事業者が開設したIP-VPN（IP-Virtual Private Network）上で、ルータ４及びＧＷセル１２との間のＰＰＰｏＥセッションの通信を確立する。IP-VPNは、通信事業者の保有する広域IP通信網を経由して構築される仮想私設通信網（VPN）である。図１では、IP-VPNは、ＶＭサービスデータセンタ２からＰＰＰｏＥ網３を介してルータ４まで接続する仮想私設通信網（VPN）である。IP-VPNの例としては、通信事業者が提供する、フレッツ・VPNワイドやFENICSビジネスIPネットワークサービスなどがある。
【００２２】
また、ルータ管理部１６は、ルータ４に仮想ルータ１８のＩＰアドレスを通知し、仮想ルータ１８にルータ４のＩＰアドレスを通知し、ルータ４及び仮想ルータ１８の間のEthernet over IPによる通信を確立する。さらに、ルータ管理部１６は、ＩＴセル管理部１５に、仮想マシン１７を起動するＩＴセル１１にＰＰＰｏＥセッションの通信を実行するＧＷセル１２を割り当てるように依頼する。ＩＴセル管理部１５及びルータ管理部１６は、１台の管理サーバに含まれているが、別々のサーバに設けられていてもよい。
【００２３】
通信事業者は、ＶＭサービスデータセンタ２とルータ４との間で光通信（FTTH）のIP-VPNとしてのＰＰＰｏＥ網３を提供する。また、通信事業者は、遠隔地のコンピュータネットワークへ接続するためのサービスであるＲＡＳ２０を有しており、このＲＡＳ２０を使って、仮想ルータ１８とルータ４との間のＰＰＰｏＥセッションの通信を実行する。
【００２４】
図１の複数の仮想マシン１７において、１つの仮想マシン１７が、Ｗｅｂサーバ１９を起動している。このＷｅｂサーバ１９は、仮想マシン１７を起動するＩＴセル１１を選択するためのメニュー画面を顧客ＰＣ６に提供する。
【００２５】
図３は、顧客ＰＣ６に表示されるＩＴセル選択用メニュー画面の一例を示す図である。
【００２６】
図３のＩＴセル選択用メニュー画面１９１は、複数のＶＭ機器情報１９２、ＯＫボタン１９３、キャンセルボタン１９４を備えている。ＶＭ機器情報１９２は、顧客ＰＣ６のキーボード又はマウス（不図示）によって選択される。図３では、選択されているＶＭ機器情報１９２は、斜線が付されている。顧客ＰＣ６の使用者は、複数のＶＭ機器情報１９２に含まれるＯＳやハードウエア資源の情報を閲覧することで、所望のサービス（アプリケーションやハードディスク容量など）を提供できるＩＴセルを選択することができる。
【００２７】
複数のＶＭ機器情報１９２の中から１つのＶＭ機器情報１９２が選択され、ＯＫボタン１９３が押下されると、選択されたＶＭ機器情報１９２がＷｅｂサーバ１９に通知される。Ｗｅｂサーバ１９は、選択されたＶＭ機器情報１９２をＩＴセル管理部１５に送信する。ＩＴセル管理部１５は、ＶＭ機器情報１９２に基づいて、データベース１５Ａに登録されているＩＴセル１１及びＧＷセル１２を起動する。ＩＴセル管理部１５は、新たな仮想マシン１７及び新たな仮想モデム１８のＩＤ番号をデータベース１５Ａに登録し、新たな仮想マシン１７及び新たな仮想モデム１８を作成し、起動する。
【００２８】
以上のように構成された情報管理システム１では、顧客がルータ４をＰＰＰｏＥ網３と顧客用イントラネット５との間に接続すると、ＶＭサービスデータセンタ２は、顧客ＰＣ６が仮想マシン１７を動作するＩＴセル１１を選択できる状態を自動的に作成する。
【００２９】
図４（Ａ）は、ＩＴセル１１のハードウエア構成を示すブロック図である。図４（Ｂ）は、管理サーバ１４のルータ管理部１６の機能構成を示すブロック図である。
【００３０】
図４（Ａ）において、ＩＴセル１１は、装置全体を制御するＣＰＵ５１、制御プログラムを備えるＲＯＭ５２、及びワーキングエリアとして機能するＲＡＭ５３を備えている。また、ＩＴセル１１は、各種の情報やプログラムを備えるハードディスクドライブ（ＨＤＤ）５４、及びＬＡＮ１３と接続するためのネットワークインタフェース５５を備えている。ＣＰＵ５１は、システムバス５６を介してＲＯＭ５２、ＲＡＭ５３、ＨＤＤ５４、及びネットワークインタフェース５５に接続されている。図３のＩＴセル選択用メニュー画面のデータは、ＨＤＤ５４に格納されている。
【００３１】
ＩＴセル１１のハードウエア構成は、管理サーバ１４及びＧＷセル１２のハードウエア構成と同一であるので、管理サーバ１４及びＧＷセル１２のハードウエア構成の説明は省略する。尚、図１のＩＴセル管理部１５及びルータ管理部１６は、管理サーバ１４のＣＰＵ５１が、管理サーバ１４のＲＯＭ５２又はＨＤＤ５４に格納されている制御プログラムを実行することによって実現される。また、図２のデータベース１５Ａは、管理サーバ１４のＨＤＤ５４に格納されている。
【００３２】
図４（Ｂ）において、ルータ管理部１６は、受信部６１、依頼部６２、取得部６３、指示部６４、及び送信部６５を備えている。
【００３３】
受信部６１は、ルータ４がＰＰＰｏＥ網３と顧客用イントラネット５との間に接続されたときに、ＶＭ機器情報をルータ４から受信する。依頼部６２は、運用段階用のIP-VPNの作成、及び２組の運用段階用ＰＰＰｏＥ設定情報の作成を通信事業者に依頼する。取得部６３は、ＶＭ機器情報に基づいて、ＶＭサービスデータセンタ２内の起動すべきＩＴセル１１、起動すべき仮想マシン１７、起動すべき仮想ルータ１８及び起動すべきＧＷセル１２の情報を取得する。ここで、ＩＴセル１１の情報は、ＩＴセル１１を特定するＩＤ番号である。仮想マシン１７の情報は、仮想マシン１７を特定するＩＤ番号である。仮想ルータ１８の情報は、仮想ルータ１８を特定するＩＤ番号である。また、ＧＷセル１２の情報は、ＧＷセル１２を特定するＩＤ番号である。
【００３４】
さらに、取得部６３は、２組の運用段階用ＰＰＰｏＥ設定情報を通信事業者から取得する。運用段階用ＰＰＰｏＥ設定情報については、後述する。指示部６４は、起動すべき仮想マシン１７及び起動すべき仮想ルータ１８の情報に対応する仮想マシン１７及び仮想ルータ１８の起動をＩＴセル管理部１５に指示する。送信部６５は、１組の運用段階用ＰＰＰｏＥ設定情報をルータ４へ送信し、他の１組の運用段階用ＰＰＰｏＥ設定情報を、起動すべきＧＷセル１２の情報に対応するＧＷセル１２へ送信する。また、送信部６５は、起動した仮想ルータ１８のＩＰアドレスをルータ４に送信し、ルータ４のＩＰアドレスを起動した仮想ルータ１８に送信する。
【００３５】
受信部６１、取得部６３及び送信部６５は、管理サーバ１４のＣＰＵ５１及びネットワークインタフェース５５により実現される。依頼部６２及び指示部６４は、管理サーバ１４のＣＰＵ５１が所定の制御プログラムを実行することにより実現される。
【００３６】
図５（Ａ）は、ルータ４のハードウエア構成を示すブロック図である。図５（Ｂ）は、ルータ４の機能構成を示すブロック図である。
【００３７】
図５（Ａ）に示すように、ルータ４は、ルータ４の全体動作を制御するマイコン７１、及び制御プログラムやデータを格納するメモリ７２を備えている。また、ルータ４は、ＰＰＰｏＥ網３と接続するためのＷＡＮ（Wide Area Network）側インターフェース７３、及び顧客用イントラネット５と接続するためのＬＡＮ側インターフェース７４を備えている。マイコン７１はバス７５を介してメモリ７２、ＷＡＮ側インターフェース７３及びＬＡＮ側インターフェース７４に接続されている。
【００３８】
メモリ７２は、仮想マシンに接続するためのスクリプト、設定段階用ＰＰＰｏＥ設定情報、及びＶＭ機器情報を格納している。設定段階用ＰＰＰｏＥ設定情報は、ＰＰＰｏＥユーザ名とパスワードを含む。設定段階用ＰＰＰｏＥ設定情報は、ルータ４がＰＰＰｏＥを使って、ＰＰＰｏＥ網３を介してＶＭサービスデータセンタ２に最初に接続するための情報である。ＰＰＰｏＥユーザ名は、例えば、「faucet-user-123456@facet.sop.fujitsu.com」であり、ＶＭサービスデータセンタ２を特定するドメイン名及びルータ４の固有のＩＤで構成されている。また、メモリ７２に格納されているＶＭ機器情報は、Ｗｅｂサーバ１９を起動しているＩＴセル１１を特定するＶＭ機器情報である。従って、顧客ＰＣ６がルータ４を介して最初にアクセスする仮想マシン１７は、Ｗｅｂサーバ１９を起動する仮想マシン１７である。
【００３９】
図５（Ｂ）に示すように、ルータ４は、ＰＰＰｏＥ処理部７７、ルーティング処理部７８、ＰＰＰｏＥ認証情報データベース（ＤＢ）７９、ＷＡＮ側インターフェース７３及びＬＡＮ側インターフェース７４を備えている。ＰＰＰｏＥ認証情報ＤＢ７９は、設定段階用ＰＰＰｏＥ設定情報を格納している。また、ＰＰＰｏＥ認証情報ＤＢ７９は、メモリ７２に格納されている。
【００４０】
ＰＰＰｏＥ処理部７７は、ＰＰＰｏＥ認証情報ＤＢ７９に格納された設定段階用ＰＰＰｏＥ設定情報を使ってＰＰＰｏＥ網３を介してＶＭサービスデータセンタ２に最初に接続する処理を実行する。さらに、ＰＰＰｏＥ処理部７７は、運用段階用ＰＰＰｏＥ設定情報を使ってＰＰＰｏＥ網３を介してＶＭサービスデータセンタ２に接続する処理を実行する。運用段階用ＰＰＰｏＥ設定情報は、ルータ４を運用段階用のIP-PVNに接続するためのＰＰＰｏＥ−ＩＤ及びパスワードを含み、ルータ管理部１６から取得される。運用段階用ＰＰＰｏＥ設定情報は、仮想私設通信網用のプロトコルの設定情報の一例である。また、複数の顧客が設定段階時に同一のＧＷセル１２を利用してＶＭサービスデータセンタ２にアクセスするため、ルータ管理部１６は、運用段階時に顧客毎に別々のＧＷセル１２を割り当てることで情報のセキュリティを高めている。このため、設定段階用ＰＰＰｏＥ設定情報と運用段階用ＰＰＰｏＥ設定情報とを分けている。
【００４１】
ルーティング処理部７８は、ＩＴセル管理部１５で選択された仮想ルータ１８のＩＰアドレスをルータ管理部１６から取得し、ＩＴセル管理部１５で選択された仮想ルータ１８と、Ethernet over IPによる通信を行う。これにより、Ethernet over IPによるデータ通信が顧客ＰＣ６とＩＴセル管理部１５で選択された仮想マシン１７との間で実行される。Ethernet over IPは、データ（具体的にはイーサフレーム）をＩＰパケット化し送受信する機能である。ＰＰＰｏＥ処理部７７及びルーティング処理部７８は、マイコン７１がメモリ７２に格納されている制御プログラムを実行することにより実現される。
【００４２】
図６は、ルータ４が実行する処理を示すフローチャートである。
【００４３】
前提として、顧客がルータ４のＷＡＮ側インターフェース７３に光通信ケーブルを接続し、ＬＡＮ側インターフェース７４にＬＡＮケーブルを接続し、ルータ４の電源を投入しているものとする。
【００４４】
まず、ＰＰＰｏＥ処理部７７が、ＰＰＰｏＥ認証情報ＤＢ７９に格納された設定段階用ＰＰＰｏＥ設定情報を使って設定段階のＰＰＰｏＥによるＧＷセル１２への通信路を開設する、即ち設定段階用のIP-VPNに接続する（ステップＳ１）。ステップＳ１により、ルータ４は、ＰＰＰｏＥ網３を介してＶＭサービスデータセンタ２のＧＷセル１２にアクセスする。
【００４５】
次いで、ＰＰＰｏＥ処理部７７は、接続開始を通知するための情報及びＰＰＰｏＥ認証情報ＤＢ７９に格納されたＶＭ機器情報をルータ管理部１６に送信する（ステップＳ２）。接続開始を通知するための情報は、例えば、接続開始を示すパケットである。また、ルータ管理部１６のホスト名が「faucet-mng.cloud.fujitsu.com」である場合には、ＰＰＰｏＥ処理部７７は、接続開始を示すパケット及びＶＭ機器情報を宛先「http://faucet-mng.cloud.fujitsu.com」に送信する。ステップＳ２で送信されるＶＭ機器情報は、Ｗｅｂサーバ１９を起動しているＩＴセル１１を特定するＶＭ機器情報である。
【００４６】
次に、ＰＰＰｏＥ処理部７７は、ＶＭ機器情報の返信として、運用段階用ＰＰＰｏＥ設定情報、即ち、ＰＰＰｏＥ−ＩＤ及びパスワードをルータ管理部１６から取得する（ステップＳ３）。ＰＰＰｏＥ処理部７７は、ルータ管理部１６から取得したＰＰＰｏＥ−ＩＤ及びパスワードを用いて、運用段階のＰＰＰｏＥによる、起動したＧＷセル１２への通信路を開設する、即ち運用段階用のIP-VPNに接続する（ステップＳ４）。ステップＳ４により、ルータ４は、イーサネットを使った仮想私設通信網で、起動したＧＷセル１２と接続できる。
【００４７】
その後、ルーティング処理部７８は、ＩＴセル管理部１５で選択された仮想ルータ１８のＩＰアドレスをルータ管理部１６から取得する（ステップＳ５）。例えば、ルーティング処理部７８は、ルータ管理部１６内の仮想ルータ１８のＩＰアドレスの登録先「http://faucet-mng.cloud.fujitsu.com/etherip-param」からＩＴセル管理部１５で選択された仮想ルータ１８のＩＰアドレスを取得する。ここで、ＩＴセル管理部１５で選択された仮想ルータ１８のＩＰアドレスは、Ｗｅｂサーバ１９を起動しているＩＴセル１１に接続される仮想ルータ１８のＩＰアドレスである。
【００４８】
ルーティング処理部７８は、Ethernet over IP機能、即ちデータをＩＰパケット化し、ＩＴセル管理部１５で選択された仮想ルータ１８との間でＩＰパケットを送受信する機能を設定する。これにより、ルータ４があたかもイーサネットで、ＩＴセル管理部１５で選択された仮想ルータ１８に接続される仮想マシン１７、即ちＷｅｂサーバ１９に直接つながっている状態を作成できる。同時に、ルーティング処理部７８は、取得した仮想ルータ１８のＩＰアドレスに基づいて、起動したＧＷセル１２からルータ４までの通信路を介してＩＴセル管理部１５で選択された仮想ルータ１８と通信する（ステップＳ６）。尚、ルータ４は、ＤＨＣＰ（Dynamic Host Configuration Protocol）を有し、顧客ＰＣ６にＩＰアドレスを割り当てるので、Ｗｅｂサーバ１９を起動する仮想マシン１７は、仮想ルータ１８及びルータ４を介して顧客ＰＣ６に接続される。また、ルータ４は、ルータ４のＩＰアドレスを顧客ＰＣ６のＩＰアドレスに割り当てるテーブル情報等を有していれば、ＤＨＣＰを有してなくてもよい。
【００４９】
ステップＳ１〜Ｓ６の工程により、顧客ＰＣ６は、ルータ４、ＰＰＰｏＥ網３（IP-VPN）、ＧＷセル１２及び仮想ルータ１８を介してEthernet over IPによりＷｅｂサーバ１９にアクセスすることができる。
【００５０】
次に、ルーティング処理部７８は、Ｗｅｂサーバ１９から受信したＩＴセル選択用メニュー画面のデータを顧客ＰＣ６に送信する（ステップＳ７）。ルーティング処理部７８は、顧客ＰＣ６で選択された、ＩＴセル選択用メニュー画面上のＶＭ機器情報１９２をＷｅｂサーバ１９に送信する（ステップＳ８）。
【００５１】
ルーティング処理部７８は、ＶＭ機器情報１９２に基づいて新たに起動した仮想ルータ１８のＩＰアドレスをルータ管理部１６に定期的に問い合わせ、仮想ルータ１８のＩＰアドレスをルータ管理部１６から取得する（ステップＳ９）。ここで、新たに起動された仮想ルータ１８がない場合には、ルーティング処理部７８は、新たに起動された仮想ルータ１８がないことを示す情報をルータ管理部１６から取得する。
【００５２】
ルーティング処理部７８は、Ethernet over IP機能を設定し、ステップＳ９で取得した仮想ルータ１８のＩＰアドレスに基づいて、当該仮想ルータ１８と通信する（ステップＳ１０）。その後、ステップＳ８に戻る。
【００５３】
ステップＳ７〜Ｓ１０の工程により、顧客ＰＣ６は、ＩＴセル選択用メニュー画面で選択したＶＭ機器情報１９２に基づいて新たに起動した仮想マシン１７とEthernet over IPにより通信することができる。また、ステップＳ８〜Ｓ１０の工程が繰り返されることで、顧客ＰＣ６は、新たに起動した複数の仮想マシン１７とEthernet over IPにより通信することができる。
【００５４】
図７は、ルータ管理部１６が実行する処理を示すフローチャートである。
【００５５】
受信部６１は、接続開始を示すパケット及びＶＭ機器情報をルータ４から受信する（ステップＳ１１）。取得部６３は、ＶＭ機器情報をＩＴセル管理部１５に送信する。そして、取得部６３は、起動すべき仮想マシン、起動すべき仮想ルータ、起動すべきＩＴセルの情報及び起動すべきＧＷセルの情報をＩＴセル管理部１５から取得する（ステップＳ１２）。ここで、起動すべき仮想マシンは、Ｗｅｂサーバ１９を起動する仮想マシン１７である。また、起動すべき仮想ルータは、Ｗｅｂサーバ１９を起動する仮想マシン１７に接続されている仮想ルータ１８である。さらに、起動すべきＩＴセルは、Ｗｅｂサーバ１９を起動する仮想マシン１７を含むＩＴセル１１である。
【００５６】
依頼部６２は、運用段階用のIP-VPNの作成、及び２組の運用段階用ＰＰＰｏＥ設定情報の作成を通信事業者に依頼する（ステップＳ１３）。ここでは、依頼部６２は、通信事業者のサイト（例えば「フレッツ光ネクスト  サービス申込受付ページ  フレッツ  ＶＰＮ・ワイド設定メニュー」）にアクセスして、依頼を実行する。尚、ステップＳ１３の工程は、ＶＭサービスデータセンタ２の管理者が運用段階用のIP-VPNの作成、及び２組の運用段階用ＰＰＰｏＥ設定情報の作成を通信事業者に依頼してもよい。その後、通信事業者が運用段階用のIP-VPNを作成する。
【００５７】
取得部６３は、２組の運用段階用ＰＰＰｏＥ設定情報を通信事業者から取得する（ステップＳ１４）。次いで、送信部６５は、１組の運用段階用ＰＰＰｏＥ設定情報をルータ４に送信する（ステップＳ１５）。ステップＳ１５により、ルータ４のＰＰＰｏＥ処理部７７が運用段階用ＰＰＰｏＥ設定情報を使って、ステップＳ１２で取得されたＧＷセルの情報に対応するＧＷセル１２への通信路を開設する。送信部６５は、他の１組の運用段階用ＰＰＰｏＥ設定情報を、ステップＳ１２で取得されたＧＷセルの情報に対応するＧＷセルに送信する（ステップＳ１６）。ステップＳ１６により、ステップＳ１２で取得されたＧＷセルの情報に対応するＧＷセル１２が、運用段階用ＰＰＰｏＥ設定情報を使って、ルータ４への通信路を開設する。
【００５８】
指示部６４は、ステップＳ１２で取得した、起動すべき仮想マシン１７及び起動すべき仮想ルータ１８の情報に対応する仮想マシン１７及び仮想ルータ１８の起動をＩＴセル管理部１５に指示する（ステップＳ１７）。その後、送信部６５は、起動した仮想ルータ１８のＩＰアドレスをルータ４に送信し、ルータ４のＩＰアドレスを、起動した仮想ルータ１８に送信する（ステップＳ１８）。ステップＳ１８により、起動した仮想ルータ１８は、Ethernet over IP機能、即ちデータをＩＰパケット化し送受信する機能を設定する。そして、起動した仮想ルータ１８は、ルータ４のＩＰアドレスに基づいて、ＧＷセル１２からルータ４までの通信路を介してルータ４と通信する。また、ルータ４は、Ethernet over IP機能、即ちデータをＩＰパケット化し送受信する機能を設定する。そして、ルータ４は、仮想ルータ１８のＩＰアドレスに基づいて、ＧＷセル１２からルータ４までの通信路を介して起動した仮想ルータ１８と通信する。
【００５９】
ステップＳ１１〜Ｓ１８の工程により、ルータ管理部１６は、顧客ＰＣ６がルータ４、ＰＰＰｏＥ網３（IP-VPN）、ＧＷセル１２及び仮想ルータ１８を介してＷｅｂサーバ１９を起動する仮想マシン１７にアクセスすることを補助することができる。
【００６０】
次に、送信部６５は、顧客ＰＣ６により選択されたＶＭ機器情報１９２に基づいて新たに起動した仮想ルータ１８のＩＰアドレスをルータ４に送信する。さらに、送信部６５は、ルータ４のＩＰアドレスを当該新たに起動した仮想ルータ１８に送信する（ステップＳ１９）。ステップＳ１９により、新たに起動した仮想ルータ１８は、Ethernet over IP機能、即ちデータをＩＰパケット化し送受信する機能を設定する。そして、新たに起動した仮想ルータ１８は、ルータ４のＩＰアドレスに基づいて、ＧＷセル１２からルータ４までの通信路を介してルータ４と通信する。また、ルータ４は、Ethernet over IP機能、即ちデータをＩＰパケット化し送受信する機能を設定する。そして、ルータ４は、新たに起動した仮想ルータ１８のＩＰアドレスに基づいて、ＧＷセル１２からルータ４までの通信路を介して新たに起動した仮想ルータ１８と通信する。
【００６１】
ステップＳ１９の工程により、ルータ管理部１６は、顧客ＰＣ６がルータ４、ＰＰＰｏＥ網３（IP-VPN）、ＧＷセル１２及び仮想ルータ１８を介して新たに起動した仮想マシン１７にアクセスすることを補助することができる。
【００６２】
図８は、ＩＴセル管理部１５が実行する処理を示すフローチャートである。
【００６３】
まず、ＩＴセル管理部１５は、ルータ４からルータ管理部１６を介してＷｅｂサーバ１９を含むＩＴセル１１を特定するＶＭ機器情報を受信する（ステップＳ２１）。ＩＴセル管理部１５は、受信したＶＭ機器情報に基づいて、データベース１５Ａに登録されている仮想マシン１７、仮想モデム１８、ＩＴセル１１、及びＧＷセル１２を選択する（ステップＳ２２）。ここで、選択した仮想マシン１７は、Ｗｅｂサーバ１９を起動する仮想マシンである。選択した仮想ルータ１８は、Ｗｅｂサーバ１９を起動する仮想マシン１７に接続された仮想ルータである。選択したＩＴセル１１は、Ｗｅｂサーバ１９を起動する仮想マシン及びその仮想マシンに接続された仮想ルータを含むＩＴセルである。ＩＴセル管理部１５は、選択した仮想マシン１７、選択した仮想ルータ１８、選択したＩＴセル１１、及び選択したＧＷセル１２を起動する（ステップＳ２３）。
【００６４】
次いで、ＩＴセル管理部１５は、顧客ＰＣ６からＷｅｂサーバ１９を含むＩＴセル１１を介してＶＭ機器情報を受信する（ステップＳ２４）。このＶＭ機器情報は、顧客ＰＣ６によりＩＴセル選択用メニュー画面上で選択されたＶＭ機器情報である。ＩＴセル管理部１５は、受信したＶＭ機器情報に基づいて、データベース１５Ａに登録されているＩＴセル１１及びＧＷセル１２を起動する。そして、ＩＴセル管理部１５は、起動したＩＴセル１１内に新たに仮想マシン１７及び仮想モデム１８を作成し、起動する（ステップＳ２５）。
【００６５】
本処理によれば、ＩＴセル管理部１５は、Ｗｅｂサーバ１９を含むＩＴセル１１を特定するＶＭ機器情報に基づいて、Ｗｅｂサーバ１９を起動する仮想マシン１７を起動するので、顧客ＰＣ６にＩＴセル選択用メニュー画面を提示することができる。また、ＩＴセル管理部１５は、顧客ＰＣ６で選択されたＶＭ機器情報に基づいて新たな仮想マシン及び新たな仮想モデムを作成し、起動することができる。
【００６６】
図９は、Ｗｅｂサーバ１９を起動する仮想マシン１７を有するＩＴセル１１が実行する処理を示すフローチャートである。尚、Ｗｅｂサーバ１９を起動する仮想マシン１７及び仮想ルータ１８を有するＩＴセル１１が起動しているものとする。
【００６７】
ＩＴセル１１内の仮想ルータ１８は、ルータ管理部１６からルータ４のＩＰアドレスを受信する（ステップＳ３１）。仮想ルータ１８は、Ethernet over IP機能、即ちデータをＩＰパケット化し送受信する機能を設定する。そして、仮想ルータ１８は、ルータ４のＩＰアドレスに基づいて、ＧＷセル１２からルータ４までの通信路を介してルータ４と通信する（ステップＳ３２）。
【００６８】
仮想マシン１７上で起動するＷｅｂサーバ１９は、ＩＴセル選択用メニュー画面のデータを仮想モデム１８及びルータ４を介して顧客ＰＣ６に送信する（ステップＳ３３）。尚、ルータ４は、上述したように、ＤＨＣＰ（Dynamic Host Configuration Protocol）又はルータ４のＩＰアドレスを顧客ＰＣ６のＩＰアドレスに割り当てるテーブル情報等を有している。よって、Ｗｅｂサーバ１９を起動する仮想マシン１７は、仮想ルータ１８及びルータ４を介してEthernet over IPにより顧客ＰＣ６に接続される。
【００６９】
Ｗｅｂサーバ１９は、顧客ＰＣ６で選択されたＩＴセル選択用メニュー画面上のＶＭ機器情報１９２を取得する（ステップＳ３４）。Ｗｅｂサーバ１９は、ＶＭ機器情報１９２をＩＴセル管理部１５に送信する（ステップＳ３５）。これにより、ＩＴセル管理部１５は、受信したＶＭ機器情報に基づいて、データベース１５Ａに登録されているＩＴセル１１及びＧＷセル１２を選択し、選択したＩＴセル１１内に新たに仮想マシン１７及び仮想モデム１８を作成し、起動する。
【００７０】
ここで、第１送信手段、取得手段及び第２送信手段の一例は、ステップＳ３３〜Ｓ３５を実行するＷｅｂサーバ１９である。Ｗｅｂサーバ１９は、ＩＴセル１１のＣＰＵ５１が所定のソフトウエア（例えば、仮想マシン用アプリケーション）を実行することで実現される。
【００７１】
図１０及び図１１は、情報管理システム１が実行する処理のシーケンスを示す図である。
【００７２】
まず、ルータ４の工場出荷時に、ルータ４のメモリ７２には、Ｗｅｂサーバ１９を起動する仮想マシン１７を含むＩＴセル１１を特定するＶＭ機器情報が設定されている（ステップＳ４１）。次に、ルータ４の接続時に、ルータ４のＰＰＰｏＥ処理部７７は、ＰＰＰｏＥ認証情報ＤＢ７９に格納された設定段階用ＰＰＰｏＥ設定情報を使って設定段階のＰＰＰｏＥによるＧＷセル１２への通信路を開設する（ステップＳ４２）。ルータ４のＰＰＰｏＥ処理部７７は、接続開始を示すパケット及びＶＭ機器情報をルータ管理部１６に送信する（ステップＳ４３）。
【００７３】
ルータ管理部１６は、接続開始を示すパケット及びＶＭ機器情報をルータ４から受信する（ステップＳ４４）。ルータ管理部１６は、ＶＭ機器情報をＩＴセル管理部１５に送信する（ステップＳ４５）。ＩＴセル管理部１５は、ＶＭ機器情報を受信し、起動すべき仮想マシン１７、起動すべき仮想ルータ１８、起動すべきＩＴセル１１及び起動すべきＧＷセル１２を選択する（ステップＳ４６）。起動すべき仮想マシン１７は、Ｗｅｂサーバ１９を起動する仮想マシンである。
【００７４】
そして、ルータ管理部１６は、起動すべき仮想マシン１７、起動すべき仮想ルータ１８、起動すべきＩＴセル１１及び起動すべきＧＷセル１２の情報をＩＴセル管理部１５から取得する（ステップＳ４７）。ルータ管理部１６は、運用段階用のIP-VPNの作成、及び２組の運用段階用ＰＰＰｏＥ設定情報の作成を通信事業者に依頼する（ステップＳ４８）。通信事業者は、ルータ管理部１６からの依頼に応じて運用段階用のIP-VPNを開設し、２組の運用段階用ＰＰＰｏＥ設定情報をルータ管理部１６に返信する。ルータ管理部１６は、１組の運用段階用ＰＰＰｏＥ設定情報をルータ４に、他の１組の運用段階用ＰＰＰｏＥ設定情報を、起動すべきＧＷセルに送信する（ステップＳ４９）。
【００７５】
ルータ４のＰＰＰｏＥ処理部７７は、運用段階用ＰＰＰｏＥ設定情報を使って、起動すべきＧＷセル１２への通信路を開設する（ステップＳ５０）。また、起動すべきＧＷセル１２が、運用段階用ＰＰＰｏＥ設定情報を使って、ルータ４への通信路を開設する（ステップＳ５１）。ステップＳ５０，Ｓ５１により、ルータ４及び起動すべきＧＷセル１２は、イーサネットを使った仮想私設通信網を介して互いに接続できる。
【００７６】
次に、ルータ管理部１６は、ステップＳ４７で取得した起動すべき仮想マシン１７及び起動すべき仮想ルータ１８の情報に対応する仮想マシン１７及び仮想ルータ１８の起動をＩＴセル管理部１５に指示する（ステップＳ５２）。ＩＴセル管理部１５は、起動すべきＩＴセル１１に、起動すべき仮想マシン１７、即ちＷｅｂサーバ１９を起動する仮想マシン１７、及び起動すべき仮想ルータ１８を起動させる（ステップＳ５３）。ＩＴセル管理部１５で選択されたＩＴセル１１は、Ｗｅｂサーバ１９を起動する仮想マシン１７及び起動すべき仮想ルータ１８を起動する（ステップＳ５４）。
【００７７】
その後、ルータ管理部１６は、起動した仮想ルータ１８のＩＰアドレスをルータ４へ、ルータ４のＩＰアドレスを起動した仮想ルータ１８へそれぞれ送信する（ステップＳ５５）。ルータ４は、起動した仮想ルータ１８のＩＰアドレスをルータ管理部１６から受信する。ルータ４は、Ethernet over IP機能を設定し、受信されたＩＰアドレスに基づいて、ＧＷセル１２からルータ４までの通信路を介して起動した仮想ルータ１８と通信する（ステップＳ５６）。ＩＴセル１１内の起動した仮想ルータ１８は、ルータ管理部１６からルータ４のＩＰアドレスを受信する。起動した仮想ルータ１８は、Ethernet over IP機能、即ちデータをＩＰパケット化し送受信する機能を設定する。同時に、起動した仮想ルータ１８は、受信されたＩＰアドレスに基づいて、ＧＷセル１２からルータ４までの通信路を介してルータ４と通信する（ステップＳ５７）。
【００７８】
ステップＳ４１〜Ｓ５７の工程により、顧客ＰＣ６は、Ｗｅｂサーバ１９を起動する仮想マシン１７と通信可能になる。
【００７９】
次に、Ｗｅｂサーバ１９は、ＩＴセル選択用メニュー画面のデータを仮想モデム１８及びルータ４を介して顧客ＰＣ６に送信する（ステップＳ５８）。顧客ＰＣ６は、ＩＴセル選択用メニュー画面上のＶＭ機器情報を選択し、選択したＶＭ機器情報を、Ｗｅｂサーバ１９を起動する仮想マシン１７に返信する（ステップＳ５９）。
【００８０】
Ｗｅｂサーバ１９は、顧客ＰＣ６で選択されたＩＴセル選択用メニュー画面上のＶＭ機器情報を取得する（ステップＳ６０）。Ｗｅｂサーバ１９は、取得したＶＭ機器情報をＩＴセル管理部１５に送信する（ステップＳ６１）。ＩＴセル管理部１５は、受信したＶＭ機器情報に基づいて、データベース１５Ａに登録されているＩＴセル１１及びＧＷセル１２を起動する。そして、ＩＴセル管理部１５は、起動したＩＴセル１１内に新たに仮想マシン１７及び仮想モデム１８を作成し、起動させる（ステップＳ６２）。これにより、新たな仮想マシン１７及び新たな仮想モデム１８が起動する（ステップＳ６３）。
【００８１】
その後、ルータ管理部１６は、新たに起動した仮想ルータ１８のＩＰアドレスをルータ４へ、ルータ４のＩＰアドレスを新たに起動した仮想ルータ１８へそれぞれ送信する（ステップＳ６４）。ルータ４は、新たに起動した仮想ルータ１８のＩＰアドレスをルータ管理部１６から受信する。ルータ４は、Ethernet over IP機能を設定し、受信されたＩＰアドレスに基づいて、新たに起動した仮想ルータ１８と通信する（ステップＳ６５）。ＩＴセル１１内の新たに起動した仮想ルータ１８は、ルータ管理部１６からルータ４のＩＰアドレスを受信する。新たに起動した仮想ルータ１８は、Ethernet over IP機能を設定し、受信されたＩＰアドレスに基づいて、ルータ４と通信する（ステップＳ６６）。
【００８２】
ステップＳ５８〜Ｓ６６の工程により、顧客ＰＣ６は、ＩＴセル選択用メニュー画面上で選択したＶＭ機器情報に対応する新たな仮想マシン１７と通信可能になる。
【００８３】
本実施の形態によれば、ルータ４がＰＰＰｏＥ網３と顧客ＰＣ６との間に接続されたときに、ＩＴセル１１内の仮想マシン１７上で起動するＷｅｂサーバ１９が、ＩＴセル選択用メニュー画面のデータを顧客ＰＣ６に送信する。そして、Ｗｅｂサーバ１９が、顧客ＰＣ６で選択されたＩＴセル選択用メニュー画面上のＶＭ機器情報を、ＶＭ機器情報に基づいて新たな仮想マシン及び仮想モデムを作成し起動するＩＴセル管理部１５に送信する。よって、顧客ＰＣ６の使用者がルータ４の設置後に新たに起動する仮想マシン及び仮想モデムを選択することができる。
【００８４】
Ｗｅｂサーバ１９を含むＩＴセル１１の機能を実現するためのプログラムが記録されている記録媒体を、ＩＴセル１１に供給し、ＩＴセル１１のＣＰＵ５１が記憶媒体に格納されたプログラムを実行してもよい。また、ＩＴセル管理部１５又はルータ管理部１６の機能を実現するためのプログラムが記録されている記録媒体を、管理サーバ１４に供給し、管理サーバ１４のＣＰＵ５１が記憶媒体に格納されたプログラムを実行してもよい。プログラムを供給するための記憶媒体としては、例えば、ＣＤ−ＲＯＭ（Compact Disk Read Only Memory）、ＤＶＤ（Digital Versatile Disk）、又はＳＤ（Secure Digital）メモリカードなどがある。
【００８５】
また、ＩＴセル１１のＣＰＵ５１が、Ｗｅｂサーバ１９、仮想マシン１７及び仮想ルータ１８の機能を実現するためのソフトウェアのプログラムを実行することによっても、上記実施の形態と同様の効果を奏する。管理サーバ１４のＣＰＵ５１が、ＩＴセル管理部１５又はルータ管理部１６の機能を実現するためのソフトウェアのプログラムを実行することによっても、上記実施の形態と同様の効果を奏する。
【００８６】
以上の実施の形態に関し、更に以下の付記を開示する。
【００８７】
（付記１）ルータが仮想私設通信網と外部装置との間に接続されたときに、前記仮想私設通信網に接続されるデータセンタ内の複数の情報処理装置に関する情報から、新たに起動される仮想マシン及び仮想モデムを含む情報処理装置に関する情報を選択するためのデータを前記外部装置に送信する第１送信手段と、前記外部装置で選択された情報処理装置に関する情報を取得する取得手段と、情報処理装置に関する情報に基づいて新たな仮想マシン及び新たな仮想モデムを作成し起動する管理手段に、前記取得手段で取得された情報処理装置に関する情報を送信する第２送信手段とを備えることを特徴とする情報処理装置。かかる構成によれば、外部装置の使用者がルータ設置後に新たに起動する仮想マシン及び仮想モデムを選択することができる。尚、第１送信手段により外部装置に送信されるデータの例として、図３のＩＴセル選択用メニュー画面のデータが挙げられる。
【００８８】
（付記２）前記ルータが仮想私設通信網と外部装置との間に接続されたときに、前記データセンタ内の複数の情報処理装置のうち前記外部装置に送信されるデータを備える情報処理装置が、最初に前記外部装置と通信することを特徴とする付記１に記載の情報処理装置。かかる構成によれば、新たに起動する仮想マシン及び仮想モデムを含む情報処理装置が最も多い状態で、外部装置の使用者がルータ設置後に新たに起動する仮想マシン及び仮想モデムを選択することができる。
【００８９】
（付記３）前記外部装置に送信されるデータは、前記外部装置に表示され、前記情報処理装置に関する情報は、前記情報処理装置が有するＯＳ及びハードウエア資源の情報であることを特徴とする付記１又は２に記載の情報処理装置。かかる構成によれば、外部装置の使用者が、情報処理装置が有するＯＳ及びハードウエア資源の情報を見ることで、所望のサービスを提供できる情報処理装置を選択することができる。
【００９０】
（付記４）前記外部装置と前記データを備える情報処理装置の間は、前記仮想私設通信網を介してEthernet over IPにより接続されていることを特徴とする付記１乃至３のいずれか１項に記載の情報処理装置。かかる構成によれば、情報処理装置があたかもイーサネットで外部装置に直接つながっている状態を作成できる。
【００９１】
（付記５）コンピュータを、ルータが仮想私設通信網と外部装置との間に接続されたときに、前記仮想私設通信網に接続されるデータセンタ内の複数の情報処理装置に関する情報から、新たに起動される仮想マシン及び仮想モデムを含む情報処理装置に関する情報を選択するためのデータを前記外部装置に送信する第１送信手段、前記外部装置で選択された情報処理装置に関する情報を取得する取得手段、及び情報処理装置に関する情報に基づいて新たな仮想マシン及び新たな仮想モデムを作成し起動する管理手段に、前記取得手段で取得された情報処理装置に関する情報を送信する第２送信手段として機能させることを特徴とするプログラム。かかる構成によれば、上記付記１の効果と同様の効果を奏する。
【００９２】
（付記６）前記ルータが仮想私設通信網と外部装置との間に接続されたときに、前記データセンタ内の複数の情報処理装置のうち前記外部装置に送信されるデータを備える情報処理装置が、最初に前記外部装置と通信することを特徴とする付記５に記載のプログラム。かかる構成によれば、上記付記２の効果と同様の効果を奏する。
【００９３】
（付記７）前記外部装置に送信されるデータは、前記外部装置に表示され、前記情報処理装置に関する情報は、前記情報処理装置が有するＯＳ及びハードウエア資源の情報であることを特徴とする付記５又は６に記載のプログラム。かかる構成によれば、上記付記３の効果と同様の効果を奏する。
【００９４】
（付記８）前記外部装置と前記データを備える情報処理装置の間は、前記仮想私設通信網を介してEthernet over IPにより接続されていることを特徴とする付記５乃至７のいずれか１項に記載のプログラム。かかる構成によれば、上記付記４の効果と同様の効果を奏する。
【００９５】
（付記９）ルータが仮想私設通信網と外部装置との間に接続されたときに、前記仮想私設通信網に接続されるデータセンタ内の複数の情報処理装置から仮想マシン及び仮想モデムを新たに起動する情報処理装置を選択するためのデータを含む情報処理装置に関する情報を前記ルータから受信する第１受信手段と、前記第１受信手段で受信した情報に基づいて特定される情報処理装置、仮想マシン及び仮想モデムを起動する第１起動手段と、前記外部装置により前記データに基づいて選択された情報処理装置に関する情報を前記外部装置から受信する第２受信手段と、前記第２受信手段で受信した情報に基づいて特定される情報処理装置を起動し、当該起動した情報処理装置内に新たな仮想マシン及び仮想モデムを作成し、起動する第２起動手段とを備えることを特徴とする情報管理装置。かかる構成によれば、データセンタ内の複数の情報処理装置から仮想マシン及び仮想モデムを新たに起動する情報処理装置を選択するためのデータを含む情報処理装置を起動することで、外部装置に当該データを提示することができる。また、外部装置で選択された情報処理装置に関する情報に基づいて新たな仮想マシンを作成し、起動することができる。ここで、情報管理装置の一例は、管理サーバ１４である。第１受信手段及び第２受信手段の一例は、図８のステップＳ２１，Ｓ２４を実行するＩＴセル管理部１５、即ち、管理サーバ１４のＣＰＵ５１及びネットワークインタフェース５５である。第１起動手段及び第２起動手段の一例は、図８のステップＳ２３，Ｓ２５を実行するＩＴセル管理部１５、即ち、管理サーバ１４のＣＰＵ５１である。
【００９６】
（付記１０）コンピュータを、ルータが仮想私設通信網と外部装置との間に接続されたときに、前記仮想私設通信網に接続されるデータセンタ内の複数の情報処理装置から仮想マシン及び仮想モデムを新たに起動する情報処理装置を選択するためのデータを含む情報処理装置に関する情報を前記ルータから受信する第１受信手段、前記第１受信手段で受信した情報に基づいて特定される情報処理装置、仮想マシン及び仮想モデムを起動する第１起動手段、前記外部装置により前記データに基づいて選択された情報処理装置に関する情報を前記外部装置から受信する第２受信手段、及び前記第２受信手段で受信した情報に基づいて特定される情報処理装置を起動し、当該起動した情報処理装置内に新たな仮想マシン及び仮想モデムを作成し、起動する第２起動手段として機能させることを特徴とするプログラム。かかる構成によれば、上記付記９の効果と同様の効果を奏する。
【符号の説明】
【００９７】
１  情報管理システム
２  ＶＭ（Virtual Machine）サービスデータセンタ
３  ＰＰＰｏＥ（Point to Point Protocol over Ethernet）網
４  ルータ
５  顧客用イントラネット
６  顧客ＰＣ（Personal Computer）
１１  ＩＴ（Information Technology）セル
１２  ＧＷ（Gateway）セル
１４  管理サーバ
１３  ＬＡＮ（Local Area Network）
１７  仮想マシン
１８  仮想ルータ
１９  Ｗｅｂサーバ
【図１】
2011248690.tif 000003
【図２】
2011248690.tif 000004
【図３】
2011248690.tif 000005
【図４】
2011248690.tif 000006
【図５】
2011248690.tif 000007
【図６】
2011248690.tif 000008
【図７】
2011248690.tif 000009
【図８】
2011248690.tif 000010
【図９】
2011248690.tif 000011
【図１０】
2011248690.tif 000012
【図１１】
2011248690.tif 000013